【手続補正書】
【提出日】令和3年4月22日(2021.4.22)
【手続補正１】
【補正対象書類名】特許請求の範囲
【補正対象項目名】全文
【補正方法】変更
【補正の内容】
【特許請求の範囲】
【請求項１】
内部に空気袋を収容した長尺なベルト本体と、
上記ベルト本体の外側の面に基端部を固定して上記ベルト本体の一方の端部側に設けられる第１サブベルトと、
上記ベルト本体の外側の面に基端部を固定して上記ベルト本体の他方の端部側に設けられる第２サブベルトと、
取付位置を変更可能に上記第１サブベルトに取り付けられると共に上記第１サブベルトを折り返す第１留め具と、
取付位置を変更可能に上記第２サブベルトに取り付けられると共に上記第２サブベルトを折り返し、さらに上記第１留め具に着脱自在につながる第２留め具と、を備え、
上記ベルト本体を使用者の腕又は脚のまわりに巻いて上記他方の端部を上記一方の端部に重ねてリング型の形にした状態で上記第１留め具と上記第２留め具とをつないで装着し、上記空気袋を膨張させて上記腕又は上記脚を加圧する加圧用具であって、
上記ベルト本体の上記一方の端部の縁より張り出しているカバー部材と、
上記カバー部材が上記ベルト本体の外側の面に被さった状態（以下、端部被覆状態と呼ぶ。）を保持するカバー用保持部材と、を備えて、
端部被覆状態で上記カバー部材と上記ベルト本体とが、上記ベルト本体の長手方向に距離を置いて口を有する外収容部を構成し、
上記ベルト本体の上記他方の端部の上で上記第１留め具と上記第２留め具とをつないで、連結した上記第１留め具と上記第２留め具とに上記カバー部材を被せることで、上記第１留め具と上記第２留め具と上記ベルト本体の上記他方の端部とが上記外収容部に収められることを特徴とする、加圧用具。
【請求項２】
端部被覆状態で上記第１留め具によって折り返して上記カバー部材より外に現れる上記第１サブベルトの先端側を上記ベルト本体に留める第１規制部材と、端部被覆状態で上記第２留め具によって折り返して上記カバー部材より外に現れる上記第２サブベルトの先端側を上記ベルト本体に留める第２規制部材と、を備えていることを特徴とする、請求項１に記載の加圧用具。
【請求項３】
上記腕又は上記脚に当たる内側の面は、上記外収容部が構成される上記一方の端部側が他の部分と比べてノンスリップ性を高く構成されていることを特徴とする、請求項１又は請求項２に記載の加圧用具。
【請求項４】
内部に空気袋を収容した長尺なベルト本体と、
上記ベルト本体の外側に基端部を固定して上記ベルト本体の一方の端部側に設けられるサブベルトと、
取付位置を変更可能に上記サブベルトに取り付けられると共に上記サブベルトを折り返す第１留め具と、
上記ベルト本体の他方の端部側に設けられ上記第１留め具に着脱自在につながる第２留め具と、を備え、
上記ベルト本体を使用者の腕又は脚のまわりに巻いて上記他方の端部を上記一方の端部に重ねてリング型の形にした状態で上記第１留め具と上記第２留め具とをつないで装着し、上記空気袋を膨張させて上記腕又は上記脚を加圧する加圧用具であって、
上記ベルト本体の上記一方の端部の縁より張り出しているカバー部材と、
上記カバー部材が上記ベルト本体の外側に被さった端部被覆状態を保持するカバー用保持部材と、を備えて、
端部被覆状態で上記カバー部材と上記ベルト本体とが、上記ベルト本体の長手方向に距離を置いて口を有する外収容部を構成し、
上記ベルト本体の上記他方の端部の上で上記第１留め具と上記第２留め具とをつないで、上記第１留め具に上記カバー部材を被せることで、上記第１留め具と上記ベルト本体の他方の端部とが上記外収容部に収められることを特徴とする、加圧用具。
【請求項５】
端部被覆状態で上記第１留め具によって折り返して上記カバー部材より外に現れる上記サブベルトの先端側を上記ベルト本体に留める規制部材を備えていることを特徴とする、請求項４に記載の加圧用具。
【請求項６】
上記ベルト本体は上記内部に板状の芯材を備えており、
上記空気袋は、上記芯材が設けられる上記他方の端部側を外して上記ベルト本体の上記内部に設けられていることを特徴とする、請求項１から請求項５の何れかに記載の加圧用具。
【請求項７】
空気袋を内部に収容しサブベルトの基端部を外側の面に固定した長尺なベルト本体を使用者の腕又は脚のまわりに巻き、
上記サブベルトに取り付けられて上記ベルト本体の一方の端部側に設けられていて上記サブベルトの折り返す長さを変える第１留め具を、上記ベルト本体の他方の端部側に設けられる第２留め具に、つないで上記ベルト本体を装着し、
上記空気袋を膨張させて上記腕又は上記脚を加圧する、加圧用具の使用方法であって、
上記ベルト本体を上記腕又は上記脚のまわりに巻いて上記ベルト本体の上記他方の端部を上記ベルト本体の上記一方の端部に重ね、上記ベルト本体の上記他方の端部の上で上記第１留め具と上記第２留め具とをつなぎ、さらに上記ベルト本体の上記一方の端部の縁から張り出すカバー部材を上記第１留め具と上記ベルト本体の上記他方の端部に被せて固定する第１工程と、
上記加圧用具で上記腕又は上記脚を締めた状態で水中トレーニングを行う第２工程と、を備えていることを特徴とする、加圧用具の使用方法。
【請求項８】
上記ベルト本体の外側の上記面に基端部を固定した他のサブベルトを備えると共に、上記他のサブベルトの折り返す長さを変える上記第２留め具が上記他のサブベルトに取り付けられていて、
上記第１工程では、上記カバー部材を上記第１留め具と上記第２留め具と上記ベルト本体の上記他方の端部に被せて固定することを特徴とする、請求項７に記載の加圧用具の使用方法。
【請求項９】
上記第１工程では、上記他のサブベルトの折り返しの長さを変えて上記腕又は上記脚のまわりに対応するリング型の上記ベルト本体の大きさを調整した後に上記第１留め具と上記第２留め具とをつなぎ、さらに上記第１留め具と上記第２留め具とがつながった状態で上記サブベルトの折り返しの長さを変えて上記腕又は上記脚を加圧する強さを調整することを特徴とする、請求項８に記載の加圧用具の使用方法。
【手続補正２】
【補正対象書類名】明細書
【補正対象項目名】００１０
【補正方法】変更
【補正の内容】
【００１０】
本発明の加圧用具は、内部に空気袋を収容した長尺なベルト本体と、上記ベルト本体の外側の面に基端部を固定して上記ベルト本体の一方の端部側に設けられる第１サブベルトと、上記ベルト本体の外側の面に基端部を固定して上記ベルト本体の他方の端部側に設けられる第２サブベルトと、取付位置を変更可能に上記第１サブベルトに取り付けられると共に上記第１サブベルトを折り返す第１留め具と、取付位置を変更可能に上記第２サブベルトに取り付けられると共に上記第２サブベルトを折り返し、さらに上記第１留め具に着脱自在につながる第２留め具と、を備え、上記ベルト本体を使用者の腕又は脚のまわりに巻いて上記他方の端部を上記一方の端部に重ねてリング型の形にした状態で上記第１留め具と上記第２留め具とをつないで装着し、上記空気袋を膨張させて上記腕又は上記脚を加圧する。上記加圧用具は、上記ベルト本体の上記一方の端部の縁より張り出しているカバー部材と、上記カバー部材が上記ベルト本体の外側の面に被さった状態（以下、端部被覆状態と呼ぶ。）を保持するカバー用保持部材と、を備えて、端部被覆状態で上記カバー部材と上記ベルト本体とが、上記ベルト本体の長手方向に距離を置いて口を有する外収容部を構成する。上記加圧用具では、上記ベルト本体の上記他方の端部の上で上記第１留め具と上記第２留め具とをつないで、連結した上記第１留め具と上記第２留め具とに上記カバー部材を被せることで、上記第１留め具と上記第２留め具と上記ベルト本体の他方の端部とが上記外収容部に収められる。
【手続補正３】
【補正対象書類名】明細書
【補正対象項目名】００１２
【補正方法】変更
【補正の内容】
【００１２】
本発明の加圧用具は、内部に空気袋を収容した長尺なベルト本体と、上記ベルト本体の外側に基端部を固定して上記ベルト本体の一方の端部側に設けられるサブベルトと、取付位置を変更可能に上記サブベルトに取り付けられると共に上記サブベルトを折り返す第１留め具と、上記ベルト本体の他方の端部側に設けられ上記第１留め具に着脱自在につながる第２留め具と、を備え、上記ベルト本体を使用者の腕又は脚のまわりに巻いて上記他方の端部を上記一方の端部に重ねてリング型の形にした状態で上記第１留め具と上記第２留め具とをつないで装着し、上記空気袋を膨張させて上記腕又は上記脚を加圧する。上記加圧用具は、上記ベルト本体の上記一方の端部の縁より張り出しているカバー部材と、上記カバー部材が上記ベルト本体の外側に被さった端部被覆状態を保持するカバー用保持部材と、を備えて、端部被覆状態で上記カバー部材と上記ベルト本体とが、上記ベルト本体の長手方向に距離を置いて口を有する外収容部を構成する。上記加圧用具では、上記ベルト本体の上記他方の端部の上で上記第１留め具と上記第２留め具とをつないで、上記第１留め具に上記カバー部材を被せることで、上記第１留め具と上記ベルト本体の他方の端部とが上記外収容部に収められる。
【手続補正４】
【補正対象書類名】明細書
【補正対象項目名】００１３
【補正方法】変更
【補正の内容】
【００１３】
本発明の加圧用具の使用方法は、空気袋を内部に収容しサブベルトの基端部を外側の面に固定した長尺なベルト本体を使用者の腕又は脚のまわりに巻き、上記サブベルトに取り付けられて上記ベルト本体の一方の端部側に設けられていて上記サブベルトの折り返す長さを変える第１留め具を、上記ベルト本体の他方の端部側に設けられる第２留め具に、つないで上記ベルト本体を装着し、上記空気袋を膨張させて上記腕又は上記脚を加圧する。上記加圧用具の使用方法は、下記の第１工程と第２工程とを備えている。
第１工程：上記ベルト本体を上記腕又は上記脚のまわりに巻いて上記ベルト本体の上記他方の端部を上記ベルト本体の上記一方の端部に重ね、上記ベルト本体の上記他方の端部の上で上記第１留め具と上記第２留め具とをつなぎ、さらに上記ベルト本体の上記一方の端部の縁から張り出すカバー部材を上記第１留め具と上記ベルト本体の上記他方の端部に被せて固定する。
第２工程：上記加圧用具で上記腕又は上記脚を締めた状態で水中トレーニングを行う。
【手続補正５】
【補正対象書類名】明細書
【補正対象項目名】００１４
【補正方法】変更
【補正の内容】
【００１４】
上記ベルト本体の外側の上記面に基端部を固定した他のサブベルトを備えると共に、上記他のサブベルトの折り返す長さを変える上記第２留め具が上記他のサブベルトに取り付けられていて、上記第１工程では、上記カバー部材を上記第１留め具と上記第２留め具と上記ベルト本体の上記他方の端部に被せて固定する。
【手続補正６】
【補正対象書類名】明細書
【補正対象項目名】００２２
【補正方法】変更
【補正の内容】
【００２２】
第１サブベルト２１は、長尺に形成されていて、端部の一方（以下、基端部と呼ぶ。）をベルト本体１０の外側の面に固定されている。第１サブベルト２１は、基端部がベルト本体１０の右端よりベルト長手方向の中間側へ距離を置いた箇所に固定されていて、右端側へ延びている。なお、図１（ａ）では第１サブベルト２１の先端側は雄バックル３１で折り返されている。
【手続補正７】
【補正対象書類名】明細書
【補正対象項目名】００２３
【補正方法】変更
【補正の内容】
【００２３】
第２サブベルト２２は、長尺に形成されていて、端部の一方（以下、基端部と呼ぶ。）をベルト本体１０の外側の面に固定されている。第２サブベルト２２は、基端部がベルト本体１０の左端よりベルト長手方向の中間側へ距離を置いた箇所に固定されていて、左端側へ延びている。なお、図１（ａ）では、第２サブベルト２２の先端側は雌バックル３２で折り返されている。
【手続補正８】
【補正対象書類名】明細書
【補正対象項目名】００２４
【補正方法】変更
【補正の内容】
【００２４】
雄バックル３１は、第１サブベルト２１を通すベース部３１１と、ベース部３１１より突出していて雌バックル３２に嵌る嵌入部３１２と、を備えている。ベース部３１１は横に並ぶ二つの開口を備えており、一方が嵌入部３１２側に設けられていて第１サブベルト２１を折り返す第１開口３１１Ａであり、他方が第１開口３１１Ａより第１サブベルト２１の基端部側へずれて設けられていて折り返した第１サブベルト２１の先端側を通す第２開口３１１Ｂである。以下、ベース部で第２の開口から縁まで横に広がる部分を上面端部３１１Ｃと呼ぶ。
【手続補正９】
【補正対象書類名】明細書
【補正対象項目名】００２５
【補正方法】変更
【補正の内容】
【００２５】
雌バックル３２は、第２サブベルト２２を通すベース部３２１と、ベース部３２１に連続して形成されていて雄バックル３１を入れる受け部３２２と、を備えている。雌バックル３２のベース部３２１は、雄バックル３１のベース部３１１と同様に横に並ぶ二つの開口を備えている。ベース部３２１は、受け部３２２側に設けられていて第２サブベルト２２を折り返す第１開口３２１Ａと、第１開口３２１Ａより第２サブベルト２２の基端部側へずれて設けられていて折り返した第２サブベルト２２の先端側を通す第２開口３２１Ｂと、第２開口３２１Ｂから縁まで横に広がる部分を上面端部３２１Ｃと、を備えている。
【手続補正１０】
【補正対象書類名】明細書
【補正対象項目名】００２９
【補正方法】変更
【補正の内容】
【００２９】
カバー部材４０は、ベルト本体１０の右端部１０Ｒに設けられており、ベルト本体１０の長い縁からそれぞれ張り出している。カバー部材４０は、ベルト本体の幅より縦に広がるシート状の基材を右端部１０Ｒに縫合し、その際に基材の一部を延出部としてベルト本体１０の縁それぞれから外側へ張り出させることで構成することができる。二つの延出部は、それらの間に位置するベルト本体１０の外側の面を覆うことができる。図４（ａ）は加圧用具１を示す部分平面図であって二つの延出部が右端部１０Ｒに被さった状態を示し、図４（ｂ）は図４（ａ）のＡ５−Ａ５線に沿った加圧用具の概略断面図である。なお、図４（ｂ）ではベルト本体１０の断面については構成を省略して表している。二つの延出部はベルト本体１０の外側で重ねられ、一方の延出部が下に配置され（下側延出部４１０と呼ぶ。）、他方の延出部が上に配置される（以下、上側延出部４２０と呼ぶ。）。また、図４（ａ）では下側延出部４１０と上側延出部４２０とで覆われた雄バックル３１と第１サブベルト２１を破線で表している。
【手続補正１１】
【補正対象書類名】明細書
【補正対象項目名】００３１
【補正方法】変更
【補正の内容】
【００３１】
下側延出部４１０と上側延出部４２０とがベルト本体１０の外側の面に被さった状態、つまり図４の（ａ）と（ｂ）に示す端部被覆状態では、カバー部材４０とベルト本体１０とが外収容部Ｓ２を構成する。外収容部Ｓ２は、ベルト本体１０の長手方向に距離をおいて口を設けており、内部が一方の口から他方の口まで通じその距離はベルト本体１０の幅よりも長く、また連結した雄バックル３１と雌バックル３２とが収まることができるよう構成されている。下側延出部４１０と上側延出部４２０とは第１サブベルト２１と第２サブベルト２２それぞれの雄バックル３１と雌バックル３２で折り返した先端側にも被さる。なお、図４（ｂ）では、下側延出部４１０と上側延出部４２０がベルト本体１０とを水平に延ばし、さらに口を開けた状態で表している。ベルト本体１０の脚が当たる内側の面では、好ましくは、外収容部Ｓ２が構成される一方の端部側が他の部分と比べてノンスリップ性を高く構成される。
【手続補正１２】
【補正対象書類名】明細書
【補正対象項目名】００３５
【補正方法】変更
【補正の内容】
【００３５】
加圧用具１を構成する内表皮材１０１、外表皮材１０２、ストラップ８１０、収納袋１１３と、第１サブベルト２１、第２サブベルト２２は伸縮性素材や速乾性などを有する目の粗いメッシュ地、その他各種の生地を利用することができる。裁断した布地を他の部材と縫合して、或いは化繊を熱溶着させて、加圧用具を構成する。なお、第１サブベルト２１、第２サブベルト２２は、ベルト本体１０より太い糸で織って強度を高く構成してもよい。空気袋１１１は、ゴム製で、膨張して口部１１１Ａを塞ぐと密封して膨張した状態が保持され、口部１１１Ａを開けると内部の空気が排出されて元の平たい形に戻る。
【手続補正１３】
【補正対象書類名】明細書
【補正対象項目名】００３６
【補正方法】変更
【補正の内容】
【００３６】
カバー部材４０は、好ましくはベルト本体と異なる生地、シートを基材として利用し、例えばゴム製のシートをベルト本体１０の右端部１０Ｒに縫合されている。図示例では、ノンスリップ性を有する面が脚に当たるよう一枚のシートをその中間部でベルト本体１０に取り付けられていて、平面視でシートの前後の端部が下側延出部４１０と上側延出部４２０としてベルト本体１０の長い縁から張り出している。一枚のシートに代えて、これより小さい２枚のシートを下側延出部４１０と上側延出部４２０としてベルト本体１０の長い縁に縫合してもよい。
【手続補正１４】
【補正対象書類名】明細書
【補正対象項目名】００４１
【補正方法】変更
【補正の内容】
【００４１】
雄バックル３１と雌バックル３２とがつながった状態で、図５（ｂ）に示すように、下側延出部４１０と上側延出部４２０とを雄バックル３１、雌バックル３２の上にそれぞれ被せて、上側延出部４２０を面ファスナー５０で下側延出部４１０に留める。カバー部材４０で、雄バックル３１や雌バックル３２で折り返す第１サブベルト２１や第２サブベルト２２の内、第２開口３１１Ｂ，３２１Ｂ寄りの一部を覆う。
【手続補正１５】
【補正対象書類名】明細書
【補正対象項目名】００５５
【補正方法】変更
【補正の内容】
【００５５】
第１実施形態では、雄バックル３１、雌バックル３２とベルト本体１０の左端部１０Ｌが外収容部Ｓ２に収まる構成を説明したが、雌バックル３２がベルト本体１０の左端部１０Ｌの延長先に第２サブベルト２２によって配置される場合、ベルト本体１０の左端部１０Ｌと右端部１０Ｒとを近接させて腕や脚に巻き、外収容部Ｓ２に雄バックル３１と雌バックル３２とを入れて、装着した状態を保持するように構成してもよい。